(57)【要約】【課題】印象材が硬化した後に歯科印象トレーを歯と歯茎から取り外す際に、採得者が把手部を持ちやすくすると共に比較的小さな力で容易に取り外すことができる歯科印象トレー用継ぎ把手を提供する。【解決手段】歯科印象トレーの把手部に着脱することができ、把手部に装着して把手部を延長する歯科印象トレー用継ぎ把手(1)は、基端側に歯科印象トレーの把手部(21,21a)に嵌め入れる連結孔(14)が設けられており、連結孔(14)の奥端(15)から歯科印象トレー用継ぎ把手(1)の先端までが延長部となっている。【選択図】図２
2010063810.tif 000002
【特許請求の範囲】
【請求項１】
歯科印象トレー用継ぎ把手であって、
基端側に歯科印象トレー(2,2a)の把手部(21,21a)に着脱自在に連結する連結手段(14)が設けられており、
把手部(21,21a)に連結することによって把手部(21,21a)を延長することができる、
歯科印象トレー用継ぎ把手。
【請求項２】
歯科印象トレーの把手部に着脱することができ、把手部に装着して把手部を延長する歯科印象トレー用継ぎ把手であって、
基端側に歯科印象トレー(2,2a)の把手部(21,21a)に嵌め入れる連結孔(14)が設けられており、
連結孔(14)の奥端(15)から歯科印象トレー用継ぎ把手の先端までが延長部となっている、
歯科印象トレー用継ぎ把手。
【請求項３】
表面に、指の腹の形状に合う凹部(16)が設けられている、
請求項１または２のいずれかに記載の歯科印象トレー用継ぎ把手。
【請求項４】
印象材を詰めて保持するためのトレー本体(20,20a)に取り外し操作を行うための把手部(21,21a)が設けられた歯科印象トレー(2,2a)と、
歯科印象トレー(2,2a)の把手部(21,21a)に着脱される請求項１、２または３のいずれかに記載の歯科印象トレー用継ぎ把手(1)と、
を備えた、
歯科印象トレー具。
【発明の詳細な説明】
【技術分野】
【０００１】
本発明は、歯科印象トレー用継ぎ把手及びそれを備えた歯科印象トレー具に関するものである。更に詳しくは、印象材が硬化した後に歯科印象トレーを歯と歯茎から取り外す際に、採得者が把手部を持ちやすくすると共に比較的小さな力で容易に取り外すことができるようにした歯科印象トレー用継ぎ把手及びそれを備えた歯科印象トレーに関する。
【背景技術】
【０００２】
歯科治療において義歯を製作する場合には、口腔内の歯と歯茎の印象（いわゆる歯型）を採得するために歯科印象トレーが使用されている。一般的な歯科印象トレーは金属製であり、アルジネート等の印象材を詰めて保持するためのトレー本体と、印象材が硬化した後の歯科印象トレーの取り外し操作を行うための把手部を備えた構造を有している。
【０００３】
断面Ｕ字状の収容部を有するトレー本体には小孔が多数穿設されている。収容部に印象材を詰めたときに印象材が小孔へ入ることによって、硬化後の印象材を歯等から取り外す際にトレー本体と印象材が剥離しないようにしている。
そして、トレー本体から突出して設けられている把手部は、トレーが全体として嵩張らず保管にも便利なように、一般的には帯板体で比較的小さく形成されている。このような歯科印象トレーとしては、例えば特許文献１記載のものがある。
【０００４】
【特許文献１】特開２０００−１３５２２７
【発明の開示】
【発明が解決しようとする課題】
【０００５】
しかしながら、前記従来の歯科印象トレーには、次のような課題があった。
まず、歯科印象トレーの把手部が小さいため、印象材が硬化した後に歯科印象トレーを歯と歯茎から取り外す際に、採得者は把手部を持った指に力が入れにくく、歯と歯茎の表面に印象材が密着している歯科印象トレーを取り外すことは容易にはできなかった。また、力が入れにくいため把手部を無理にこじるようにして取り外すと、印象材で形成された型部が変形するおそれがしばしばあった。
また、歯科印象トレーを歯と歯茎から取り外す際、把手部が小さい分だけ把手部を持った採得者の指が患者の口唇部に近くなり、操作時に過って指が口唇部に触れてしまいやすく、衛生上好ましくないという課題もあった。
【０００６】
さらに、歯と歯茎の印象を採取するには、適量の印象材を歯科印象トレーのトレー本体に詰めて形を整え、トレー本体を口腔内に挿入し、印象材を歯と歯茎に押し付けてこれらを埋没させ、歯科印象トレーを印象材が硬化するまでの所定の時間（二分〜五分間程度）、動かないように保持する。この保持は、印象を採得する採得者が指でトレーの把手部を持って行う。ところが、把手部は小さく形成されており、さらに帯板状で薄いため、指で持ちにくく滑りやすい。このため、歯科印象トレーを動かないように安定させて保持することは難しく、歯と歯茎の正確な印象を採得するためには歯科衛生士・歯科医師は相当の熟練を必要としていた。
【０００７】
（本発明の目的）
本発明の目的は、印象材が硬化した後に歯科印象トレーを歯と歯茎から取り外す際に、採得者が把手部を持ちやすくすると共に比較的小さな力で容易に取り外すことができ、印象材で形成された型部が変形するおそれがない歯科印象トレー用継ぎ把手及びそれを備えた歯科印象トレー具を提供することである。
【０００８】
本発明の他の目的は、前記目的に加えて、操作時に過って採得者の指が患者の口唇部に触れてしまうことがなく、衛生上好ましい歯科印象トレー用継ぎ把手及びそれを備えた歯科印象トレー具を提供することである。
【０００９】
本発明の他の目的は、前記目的に加えて、印象を採得する際に把手部を持ちやすいようにして歯科印象トレーを動かないように安定させて保持することを容易にし、歯と歯茎の正確な印象を採得しやすくした歯科印象トレー用継ぎ把手及びそれを備えた歯科印象トレー具を提供することである。
【課題を解決するための手段】
【００１０】
上記課題を解決するために本発明が講じた手段は次のとおりである。
本発明は、
歯科印象トレー用継ぎ把手であって、
基端側に歯科印象トレーの把手部に着脱自在に連結する連結手段が設けられており、
把手部に連結することによって把手部を延長することができる、
歯科印象トレー用継ぎ把手である。
【００１１】
本発明は、
歯科印象トレーの把手部に着脱することができ、把手部に装着して把手部を延長する歯科印象トレー用継ぎ把手であって、
基端側に歯科印象トレーの把手部に嵌め入れる連結孔が設けられており、
連結孔の奥端から歯科印象トレー用継ぎ把手の先端までが延長部となっている、
歯科印象トレー用継ぎ把手である。
【００１２】
本発明は、
表面に、指の腹の形状に合う凹部が設けられているのが好ましい。
【００１３】
本発明は、
印象材を詰めて保持するためのトレー本体に取り外し操作を行うための把手部が設けられた歯科印象トレーと、
歯科印象トレーの把手部に着脱される前記歯科印象トレー用継ぎ把手と、
を備えた、
歯科印象トレー具である。
【００１４】
（作用）
本発明に係る歯科印象トレー用継ぎ把手の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためのものであって、各構成要件の意味を上記各部に限定するものではない。
【００１５】
歯科治療において義歯を製作する場合の口腔内の歯と歯茎の印象を採得する作業は次のように行う。
まず、歯科印象トレー(2,2a)の把手部(21,21a)に、連結孔(14)を嵌め込むようにして歯科印象トレー用継ぎ把手(1)（以下、単に継ぎ把手という場合がある）を装着して歯科印象トレー具(T1,T2)とする。把手部(21,21a)に継ぎ把手(1)を装着することにより、全体としての把手を延長し大きくして、採得者が指で持ちやすいようにする。
【００１６】
次に、適量の印象材(3)を歯科印象トレー(2,2a)のトレー本体(20,20a)に詰めて、印象材(3)の形を整える。採得者が継ぎ把手(1)部分を持ってトレー本体(20,20a)を患者の口腔内に挿入し、トレー本体(20,20a)に詰めてある印象材(3)を歯と歯茎に押し付けて、これらを印象材(3)に埋没させ、口腔内における歯科印象トレー具(T1,T2)の位置を決める。
【００１７】
そして、採得者は、継ぎ把手(1)部分を持った状態で、印象材(3)が硬化するまでの所定の時間、歯科印象トレー具(T1,T2)を動かないように保持する。この保持においては、採得者は、把手部(21,21a)に装着されて把手を全体として延長し大きくしている継ぎ把手(1)を持って行うために持ちやすく、歯科印象トレー具(T1,T2)を動かないように安定させて保持することが容易であり、歯と歯茎の正確な印象を採得することができる。
【００１８】
印象材(3)が硬化した後は、採得者は継ぎ把手(1)を持って歯科印象トレー具(T1,T2)を取り外す方向へ力を作用させる。このとき、把手は継ぎ把手(1)を装着することによって全体として延長され大きくなっているので、比較的小さな力でも、梃子の作用でトレー本体に、より大きな力を作用させて容易に取り外すことができる。これにより、従来のように把手部を無理にこじるようにして取り外す必要もなく、印象材(3)で形成された型部が変形することを防止できる。
【００１９】
また、歯科印象トレー具(T1,T2)の取り外しを行う際に、把手が延長されている分だけ継ぎ把手(1)を持った採得者の指が患者の口唇部から遠くなり、操作時に過って指が口唇部に触れることを防止することができるので、衛生上好ましい。
【発明の効果】
【００２０】
本発明は次の効果を有する。
（ａ）歯科印象トレーの把手部に継ぎ把手を装着することにより、把手を全体として延長し大きくすることができる。これにより、歯科印象トレー具の把手を採得者が指で持ちやすくなり、歯科印象トレー具の取り外しを行う際に、比較的小さな力でも梃子の作用でトレー本体に、より大きな力を作用させて容易に取り外すことができる。これにより、従来のように把手部を無理にこじるようにして取り外す必要もなく、印象材で形成された型部が変形することを防止できる。
【００２１】
（ｂ）歯科印象トレー具の取り外しを行う際に、把手が延長されている分だけ把手を持った採得者の指が患者の口唇部から遠くなり、操作時に過って指が口唇部に触れることを防止することができるので、衛生上好ましい。
【００２２】
（ｃ）歯と歯茎の印象を採取する際、採得者は、継ぎ把手部分を持った状態で、歯科印象トレー具を口腔内における所要の位置において、印象材が硬化するまでの所定の時間、動かないように保持する。この保持は、把手部に装着されて把手を全体として延長し大きくしている継ぎ把手を持って行うため持ちやすく、歯科印象トレー具を動かないように安定させて保持することが容易であり、歯と歯茎の正確な印象を採得することができる。
【発明を実施するための最良の形態】
【００２３】
本発明を図面に示した実施の形態に基づき詳細に説明する。
図１は本発明に係る歯科印象トレー用継ぎ把手の構造を示し、（ａ）は正面図、（ｂ）は平面図、（ｃ）は底面図、（ｄ）は右側面図、（ｅ）は左側面図、
図２は歯科印象トレー用継ぎ把手を歯科印象トレーの把手部に装着している状態を示す上面側分解斜視説明図、
図３は歯科印象トレー用継ぎ把手の下面側斜視説明図である。
【００２４】
歯科印象トレー用継ぎ把手１は、後述する歯科印象トレー２の把手部２１に装着して把手を延長するものである。歯科印象トレー用継ぎ把手１は、本実施の形態においては硬質の合成樹脂で形成されているが、金属等、剛性の高い他の材料で形成することもできる。
【００２５】
歯科印象トレー用継ぎ把手１は、所要の長さ、幅及び厚さを有し、基端側には連結手段である連結孔１４が形成されている。連結孔１４は、厚み方向の中間部に上面及び下面と平行に一定幅で設けられており、その奥端１５は歯科印象トレー用継ぎ把手１の長さ方向の中間部に位置するように設けられている。
【００２６】
連結孔１４の孔口１７は、基端側が幅方向へ末拡がりに形成された歯科印象トレー用継ぎ把手１の基端からやや先端方向へ入った位置に設けられており、基端側には孔口１７へ続く、上面側が開放された誘導部１０が設けられている。なお、連結手段は、前記連結孔１４に限定されるものではなく、例えば螺子止め、挟み止め等、他の公知手段を採用することができる。
【００２７】
誘導部１０は、下面方向へ緩やかに湾曲した誘導面１１と、誘導面１１に沿って互いに幅方向へ開くように湾曲した誘導面１２、１３で構成されている。また、歯科印象トレー用継ぎ把手１の基端には、誘導面１１に続く、凹むように湾曲した当接面１８が設けられている。誘導部１０は、連結孔１４に歯科印象トレー２の把手部２１を差し込む作業を容易にするものである。
【００２８】
歯科印象トレー用継ぎ把手１の先端側の上面には、指の腹の形状に合う凹部１６が設けられている。これによれば、操作時に指を凹部１６に合わせると指が凹部１６に馴染んで操作がしやすくなる。また、凹部１６の裏側の下面には、凹部１６部分の厚さを平均化するように膨出部１９が設けられている。そして、連結孔１４の奥端１５から歯科印象トレー用継ぎ把手１の先端までの長さＬが延長部となっている。
【００２９】
図４は歯科印象トレー用継ぎ把手を下顎用の歯科印象トレーに装着した歯科印象トレー具の（ａ）は平面図、（ｂ）は底面図、
図５は歯科印象トレー用継ぎ把手を下顎用の歯科印象トレーに装着した歯科印象トレー具の使用状態を示す説明図、
図６は歯科印象トレー用継ぎ把手を上顎用の歯科印象トレーに装着した歯科印象トレー具の（ａ）は平面図、（ｂ）は底面図、  図７は歯科印象トレー用継ぎ把手を上顎用の歯科印象トレーに装着した歯科印象トレー具の使用状態を示す説明図である。
【００３０】
ここで、図４ないし図７を参照し下顎用の歯科印象トレー２と上顎用の歯科印象トレー２ａの構造を説明する。
図４、図５に示す下顎用の歯科印象トレー２は、防錆処理が施された金属で形成されている。歯科印象トレー２は、印象材を詰めて保持するためのトレー本体２０と、トレー本体２０に設けられており取り外し操作を行うための把手部２１を備えている。符号２５は吊下用穴である。
【００３１】
トレー本体２０は、板体で平面視ほぼＵ字形状に形成されている。トレー本体２０は、その全長にわたり断面Ｕ字形状に湾曲させてあり、これにより、下面側に印象材を詰める凹部２２が形成されている。凹部２２の側部の全体には、貫通孔２３が多数設けられている。貫通孔２３は、凹部２２に詰められた印象材が侵入することで印象材が硬化したときに印象材がトレー本体２０から容易には外れないようにするものである。
【００３２】
前記把手部２１は板体で形成されており、トレー本体２０の中間部の上面側に溶接によって固着されている。把手部２１は、トレー本体２０に固着されている側の一部が傾斜させてあり、先端側の他の部分は前記凹部２２の下面側の端縁部と平行になるように設けられている。把手部２１の形状は、歯科印象トレー用継ぎ把手１の連結孔１４にややきつく挿着できるように形成されている。
【００３３】
また、図６、図７に示す上顎用の歯科印象トレー２ａは、トレー本体２０ａの凹部２２ａの間の部分が空隙ではなく、口腔内の上顎側の天蓋の湾曲に合うように湾曲した当て板２４が設けられている。凹部２２ａと当て板２４には、前面に貫通孔２３ａが多数設けられている。
【００３４】
把手部２１ａは板体で形成されており、トレー本体２０ａの中間部の下面側に溶接によって固着されている。把手部２１ａは、凹部２２ａの下面側の端縁部と平行になるように設けられている。把手部２１ａの形状は、歯科印象トレー用継ぎ把手１の連結孔１４にややきつく挿着できるように形成されている。
【００３５】
（作用）
図１ないし図７を参照して、本実施の形態に係る歯科印象トレー用継ぎ把手１及び歯科印象トレー用継ぎ把手１と歯科印象トレー２、２ａを組み合わせて形成される歯科印象トレー具Ｔ１、Ｔ２の作用を説明する。
歯科治療において義歯・歯冠修復を製作する場合の口腔内の歯と歯茎の印象を採得する作業は次のように行う。
【００３６】
まず、図４、図５を参照して、下顎の歯と歯茎の印象を採得する場合で説明する。
下顎用の歯科印象トレー２の把手部２１に、連結孔１４を嵌め込むようにして歯科印象トレー用継ぎ把手１を装着して歯科印象トレー具Ｔ１とする。把手部２１に継ぎ把手１を装着することにより、全体としての把手を延長し大きくして、採得者が指で持ちやすいようにする。
【００３７】
次に、適量のアルジネート・シリコン等の印象材３をトレー本体２０の凹部２２に詰めて印象材３の形を整える。採得者が継ぎ把手１部分を持ってトレー本体２０を患者の口腔内に挿入し、凹部２２に詰めてある印象材３を歯と歯茎に押し付けて、これらを印象材３に埋没させ、口腔内における歯科印象トレー具Ｔ１の位置を決める。
【００３８】
そして、採得者は、継ぎ把手１部分を持った状態で、印象材３が硬化するまでの所定の時間（二分〜五分間程度）、歯科印象トレー具Ｔ１を動かないように保持する。この保持は、把手部２１に装着されて把手を全体としてＬの長さ延長し大きくしている継ぎ把手１を持って行うため持ちやすく、採得者は歯科印象トレー具Ｔ１を動かないように安定させて保持することが容易であり、歯と歯茎の正確な印象を採得することができる。
【００３９】
所要時間が経過し、印象材３が硬化した後は、採得者は継ぎ把手１を持って歯科印象トレー具Ｔ１を取り外す矢印ａ１方向へ力を作用させる。このとき、把手は継ぎ把手１を装着することによって全体としてＬの長さ延長され大きくなっているので、比較的小さな力でも梃子の作用でトレー本体に、より大きな力を作用させて容易に取り外すことができる。これにより、従来のように把手部を無理にこじるようにして取り外す必要もなく、印象材３で形成された型部が変形することを防止できる。
【００４０】
また、歯科印象トレー具Ｔ１の取り外しを行う際に、把手をＬの長さ延長する継ぎ把手１を持った採得者の指は、その分だけ患者の口唇部から遠くなり、操作時に過って指が口唇部に触れることを防止することができるので、衛生上好ましい。また、歯科印象トレー２は、継ぎ把手１を取れば嵩張らず、保管や取り扱いに支障は生じない。
なお、歯科印象トレー用継ぎ把手１は、把手部の形状が合えば、既存の歯科印象トレーにも使用することができる。
【００４１】
図６、図７に示す上顎用の歯科印象トレー具Ｔ２については、前記下顎用の歯科印象トレー具Ｔ１とほぼ同様にして上顎の歯と歯茎を印象材３に埋没させる。そして、印象材３が硬化し、歯科印象トレー具Ｔ２を取り外す際には、採得者は継ぎ把手１を持って歯科印象トレー具Ｔ１を取り外す矢印ａ２方向へ力を作用させるようにする。歯科印象トレー具Ｔ２の他の作用については歯科印象トレー具Ｔ１とほぼ同様であるので説明を省略する。
【００４２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４３】
【図１】本発明に係る歯科印象トレー用継ぎ把手の構造を示し、（ａ）は正面図、（ｂ）は平面図、（ｃ）は底面図、（ｄ）は右側面図、（ｅ）は左側面図。
【図２】歯科印象トレー用継ぎ把手を歯科印象トレーの把手部に装着している状態を示す上面側分解斜視説明図。
【図３】歯科印象トレー用継ぎ把手の下面側斜視説明図。
【図４】歯科印象トレー用継ぎ把手を下顎用の歯科印象トレーに装着した歯科印象トレー具の（ａ）は平面図、（ｂ）は底面図。
【図５】歯科印象トレー用継ぎ把手を下顎用の歯科印象トレーに装着した歯科印象トレー具の使用状態を示す説明図。
【図６】歯科印象トレー用継ぎ把手を上顎用の歯科印象トレーに装着した歯科印象トレー具の（ａ）は平面図、（ｂ）は底面図。
【図７】歯科印象トレー用継ぎ把手を上顎用の歯科印象トレーに装着した歯科印象トレー具の使用状態を示す説明図。
【符号の説明】
【００４４】
Ｔ１  歯科印象トレー具
１  歯科印象トレー用継ぎ把手
１０  誘導部
１１  誘導面
１２、１３  誘導面
１４  連結孔
１５  奥端
１６  凹部
１７  孔口
１８  当接面
１９  膨出部
２  歯科印象トレー
２０  トレー本体
２１  把手部
２２  凹部
２３  貫通孔
２５  吊下用穴
３  印象材
Ｔ２  歯科印象トレー具
２ａ  歯科印象トレー
２０ａ  トレー本体
２１ａ  把手部
２２ａ  凹部
２３ａ  貫通孔
２４  当て板
【図１】
2010063810.tif 000003
【図２】
2010063810.tif 000004
【図３】
2010063810.tif 000005
【図４】
2010063810.tif 000006
【図５】
2010063810.tif 000007
【図６】
2010063810.tif 000008
【図７】
2010063810.tif 000009